(57)【要約】【課題】電源回路の簡素化及び低コスト化、並びに消費電力の削減を図ることができる放送受信システムを提供する。【解決手段】衛星放送信号を受信すると共に分配する記録装置１と、分配された衛星放送信号を受信する表示装置２とを備える放送受信システムにおいて、記録装置側アンテナ給電部１４と、電源が入状態／切状態である場合、記録装置側アンテナ給電部１４の動作状態を入状態／切状態に制御する制御部１０と、記録装置側アンテナ給電部１４による給電の有無を示す給電状態信号を送出する通信部１８とを記録装置１に備え、表示装置側アンテナ給電部と、給電状態信号を受信する通信部と、受信した給電状態信号が給電有りを示している場合、表示装置側アンテナ給電部の動作状態を切状態に、前記給電状態信号が給電無しを示している場合、表示装置側アンテナ給電部の動作状態を入状態に制御する制御部とを表示装置２に備える。【選択図】図１
2009124236.tif 000002
【特許請求の範囲】
【請求項１】
アンテナにて放送信号を受信し、受信した放送信号を記録し、又は該放送信号に基づいて映像を表示する複数の受信装置を備える放送受信システムにおいて、
一の前記受信装置は、
前記アンテナに給電するアンテナ給電部と、
該受信装置の電源が入状態／切状態である場合、前記アンテナ給電部の動作状態を入状態／切状態に制御する制御手段と、
前記アンテナに対する給電の有無を示す給電状態信号を送出する送出手段と
を備え、
他の前記受信装置は、
前記アンテナに給電するアンテナ給電部と、
前記給電状態信号を取得する取得手段と、
該取得手段にて取得した前記給電状態信号が給電有りを示している場合、前記アンテナ給電部の動作状態を切状態に、前記給電状態信号が給電無しを示している場合、前記アンテナ給電部の動作状態を入状態に制御する制御手段と
を備えることを特徴とする放送受信システム。
【請求項２】
衛星放送受信アンテナにて衛星放送信号を受信し、記録すると共に該衛星放送信号を分配する記録装置と、分配された衛星放送信号を受信し、該衛星放送信号に基づいて映像を表示する表示装置とを備える放送受信システムにおいて、
前記記録装置は、
前記衛星放送受信アンテナに給電する記録装置側アンテナ給電部と、
前記記録装置の電源が入状態／切状態である場合、前記記録装置側アンテナ給電部の動作状態を入状態／切状態に制御する制御手段と、
前記記録装置側アンテナ給電部による給電の有無を示す給電状態信号を送出する送出手段と
を備え、
前記表示装置は、
前記衛星放送受信アンテナに給電する表示装置側アンテナ給電部と、
前記給電状態信号を取得する取得手段と、
該取得手段にて取得した前記給電状態信号が給電有りを示している場合、前記表示装置側アンテナ給電部の動作状態を切状態に、前記給電状態信号が給電無しを示している場合、前記表示装置側アンテナ給電部の動作状態を入状態に制御する制御手段と
を備えることを特徴とする放送受信システム。
【請求項３】
前記表示装置の制御手段は、
前記給電状態信号が給電無しを示しており、衛星放送信号に基づいて映像を表示する場合、前記表示装置側アンテナ給電部の動作状態を入状態に、前記給電状態信号が給電無しを示しており、衛星放送信号に基づいて映像を表示しない場合、前記表示装置側アンテナ給電部の動作状態を切状態に制御する手段を備える
ことを特徴とする請求項２に記載の放送受信システム。
【請求項４】
前記表示装置は、
前記衛星放送受信アンテナに対する給電の要否を示す給電要否信号を送出する送出手段を備え、
前記記録装置は、
前記給電要否信号を取得する取得手段を備え、
前記記録装置の制御手段は、
前記記録装置の電源が入状態であり、前記取得手段にて取得した給電要否信号が不要を示している場合、前記記録装置側アンテナ給電部の動作状態を切状態に制御する手段を備える
ことを特徴とする請求項２又は請求項３に記載の放送受信システム。
【請求項５】
前記記録装置は、
該衛星放送受信アンテナからの衛星放送信号が入力する入力部と、
該入力部に入力した衛星放送信号を増幅する増幅器と、
該増幅器にて増幅された衛星放送信号を分配する分配器と、
該分配器にて分配された一の衛星放送信号を出力する出力部と、
前記入力部及び前記増幅器の間に介装されており、前記衛星放送受信アンテナに給電されるべき電力を遮断し、衛星放送信号を通過させる第１フィルタと、
前記分配器及び前記出力部の間に介装されており、前記衛星放送受信アンテナに給電されるべき電力を遮断し、衛星放送信号を通過させる第２フィルタと、
前記入力部及び前記第１フィルタの間を開閉する第１スイッチと、
前記出力部及び前記第２フィルタの間を開閉する第２スイッチと、
前記入力部及び前記記録装置側アンテナ給電部の間を開閉する第３スイッチと、
前記入力部及び前記出力部の間を開閉する第４スイッチと、
前記記録装置側アンテナ給電部が入状態／切状態である場合、前記第１スイッチ、第２スイッチ及び第３スイッチが閉状態／開状態、前記第４スイッチが開状態／閉状態になるように各スイッチの開閉を制御する手段と
を備えることを特徴とする請求項２から請求項４までのいずれか一項に記載の放送受信システム。
【請求項６】
衛星放送受信アンテナにて衛星放送信号を受信し、記録すると共に該衛星放送信号を外部装置に分配する記録装置において、
前記衛星放送受信アンテナに給電するアンテナ給電部と、
前記記録装置の電源が入状態／切状態である場合、前記アンテナ給電部の動作状態を入状態／切状態に制御する制御手段と、
前記アンテナ給電部による給電の有無を示す給電状態信号を外部装置に送出する送出手段と
を備えることを特徴とする記録装置。
【請求項７】
前記衛星放送受信アンテナに対する給電の要否を示す給電要否信号を取得する取得手段を備え、
前記制御手段は、
前記記録装置の電源が入状態であり、前記取得手段にて取得した給電要否信号が不要を示している場合、前記アンテナ給電部の動作状態を切状態に制御する手段を備える
ことを特徴とする請求項６に記載の記録装置。
【請求項８】
衛星放送受信アンテナにて衛星放送信号を受信し、該衛星放送信号に基づいて映像を表示する表示装置において、
前記衛星放送受信アンテナに給電するアンテナ給電部と、
前記衛星放送受信アンテナに対する外部装置による給電の有無を示す給電状態信号を取得する取得手段と、
該取得手段にて取得した前記給電状態信号が給電有りを示している場合、前記アンテナ給電部の動作状態を切状態に、前記給電状態信号が給電無しを示している場合、前記アンテナ給電部の動作状態を入状態に制御する制御手段と
を備えることを特徴とする表示装置。
【請求項９】
前記制御手段は、
前記給電状態信号が給電無しを示しており、衛星放送信号に基づいて映像を表示する場合、前記アンテナ給電部の動作状態を入状態に、前記給電状態信号が給電無しを示しており、衛星放送信号に基づいて映像を表示しない場合、前記アンテナ給電部の動作状態を切状態に制御する手段を備える
ことを特徴とする請求項８に記載の表示装置。
【発明の詳細な説明】
【技術分野】
【０００１】
本発明は、アンテナにて放送信号を受信し、受信した放送信号を記録し、又は該放送信号に基づいて映像を表示する放送受信システム、該放送受信システムを構成する記録装置及び表示装置に関する。
【背景技術】
【０００２】
ＢＳチューナ内蔵のＤＶＤレコーダに代表される記録装置は、衛星放送受信アンテナの動作に必要な１５Ｖの電力を供給し、衛星放送信号を受信している。受信された衛星放送信号は、記録装置から液晶テレビ等の表示装置にＲＦ出力され、衛星放送信号に係る映像が表示装置に表示される。記録装置は、待機状態、即ち電源が切状態にある場合であっても衛星放送信号の出力を確保すべく、常時、衛星放送受信アンテナに電力を供給している。
【０００３】
図８は、従来の記録装置１の構成を示すブロック図である。記録装置１は、記録装置１の各構成部の動作を制御する制御部１０と、商用交流電源を整流する整流回路１１と、複数の電圧、例えば５Ｖ，９Ｖ，１２Ｖの電力を出力する電源変圧器１２と、電源変圧器１２の動作を安定化させるべく、制御部１０用の５Ｖ電圧にて、電源変圧器１２の動作を帰還制御する電源制御部１３と、衛星放送受信アンテナ３に供給する電力を生成する記録装置側アンテナ給電部１４と、信号処理回路１７の動作に必要な電力を生成する主電源回路１５とを備えている。記録装置側アンテナ給電部１４から出力された電力は、記録装置用衛星放送チューナ１６を通じて衛星放送受信アンテナ３に供給される。また、ＢＳチューナを内蔵した表示装置２からも衛星放送受信アンテナ３に必要な電力が記録装置１を経由して衛星放送受信アンテナ３に供給されるように構成されている。
【０００４】
ところで、記録装置１の待機時電力を削減するように構成した場合、待機時に消費される電力は、制御部１０で消費される約０．１５Ｗの電力、及び衛星放送受信アンテナ３に供給される４Ｗの電力のみで、その電力の差が約２６倍となるため、電源の出力が安定せず、衛星放送受信アンテナ３用の電圧が低下するおそれがある。
このため、記録装置１は、制御部１０で消費される電力を増加させるダミー負荷４を備えることにより、前記電力の差を小さくし、電源の出力を安定化させている。また、記録装置側アンテナ給電部１４に昇圧型ＤＣ−ＤＣコンバータを備え、低い電圧から衛星放送受信アンテナ３用の電力を生成するように構成することにより、前記電力の差を小さくし、電源の出力を安定化させている。
【０００５】
一方、地球温暖化に代表される地球環境問題に対する取り組みの一つとして家電製品の省電力化が望まれている。
特許文献１には、ＢＳチューナ内蔵ＶＴＲの電源が切状態で、且つＢＳチューナ内蔵ＴＶにてＢＳ放送チャンネルが選局されていない場合に、電源を切状態にするＢＳチューナ内蔵ＶＴＲが提案されている。
また、特許文献２には、ＢＳチューナ内蔵ＶＴＲにおいて、内部電源と、ＢＳチューナ内蔵ＴＶの衛星放送受信アンテナ電源とを２入力とするダイオードオア回路を備え、ダイオードオア回路の出力をブースターの電源とするように構成したＢＳチューナ内蔵ＶＴＲが提案されている。
【特許文献１】特開２０００−３３３１１３号公報
【特許文献２】特開平８−１４９３９２号公報
【発明の開示】
【発明が解決しようとする課題】
【０００６】
しかしながら、従来の記録装置及び表示装置にあっては、ダミー負荷、昇圧型ＤＣ／ＤＣコンバータ等を備える必要があり、電源回路の構成が複雑になり、高コストになるという問題があった。また、待機時の消費電力を効果的に抑えることができないという問題があった。
【０００７】
また、特許文献１に係るＢＳチューナ内蔵ＶＴＲにおいては、ＴＶ側がＢＳ放送チャンネルを選択してＢＳアンテナに給電している場合、ＢＳチューナ内蔵ＶＴＲはその動作状態に拘わらずＢＳアンテナに常時給電する構成であるため、消費電力に無駄が生じ、またその動作状態に拘わらずＢＳアンテナ電源を出力する構成であるため、上述のように電源回路の構成が複雑、高コストになるという問題があった。
特許文献２に係るＢＳチューナ内蔵ＶＴＲにおいても、ＢＳチューナ内蔵ＶＴＲは、その動作状態に拘わらずＢＳアンテナ電源を出力する構成であるため、上述の問題を解決することはできないという問題があった。
【０００８】
本発明は斯かる事情に鑑みてなされたものであり、電源回路の簡素化及び低コスト化、並びに消費電力の削減を図ることができる放送受信システム、該放送受信システムを構成する記録装置及び表示装置を提供することを目的とする。
【課題を解決するための手段】
【０００９】
本発明に係る放送受信システムは、アンテナにて放送信号を受信し、受信した放送信号を記録し、又は該放送信号に基づいて映像を表示する複数の受信装置を備える放送受信システムにおいて、一の前記受信装置は、前記アンテナに給電するアンテナ給電部と、該受信装置の電源が入状態／切状態である場合、前記アンテナ給電部の動作状態を入状態／切状態に制御する制御手段と、前記アンテナに対する給電の有無を示す給電状態信号を送出する送出手段とを備え、他の前記受信装置は、前記アンテナに給電するアンテナ給電部と、前記給電状態信号を取得する取得手段と、該取得手段にて取得した前記給電状態信号が給電有りを示している場合、前記アンテナ給電部の動作状態を切状態に、前記給電状態信号が給電無しを示している場合、前記アンテナ給電部の動作状態を入状態に制御する制御手段とを備えることを特徴とする。
【００１０】
本発明に係る放送受信システムは、衛星放送受信アンテナにて衛星放送信号を受信し、記録すると共に該衛星放送信号を分配する記録装置と、分配された衛星放送信号を受信し、該衛星放送信号に基づいて映像を表示する表示装置とを備える放送受信システムにおいて、前記記録装置は、前記衛星放送受信アンテナに給電する記録装置側アンテナ給電部と、前記記録装置の電源が入状態／切状態である場合、前記記録装置側アンテナ給電部の動作状態を入状態／切状態に制御する制御手段と、前記記録装置側アンテナ給電部による給電の有無を示す給電状態信号を送出する送出手段とを備え、前記表示装置は、前記衛星放送受信アンテナに給電する表示装置側アンテナ給電部と、前記給電状態信号を取得する取得手段と、該取得手段にて取得した前記給電状態信号が給電有りを示している場合、前記表示装置側アンテナ給電部の動作状態を切状態に、前記給電状態信号が給電無しを示している場合、前記表示装置側アンテナ給電部の動作状態を入状態に制御する制御手段とを備えることを特徴とする。
【００１１】
本発明に係る放送受信システムは、前記表示装置の制御手段は、前記給電状態信号が給電無しを示しており、衛星放送信号に基づいて映像を表示する場合、前記表示装置側アンテナ給電部の動作状態を入状態に、前記給電状態信号が給電無しを示しており、衛星放送信号に基づいて映像を表示しない場合、前記表示装置側アンテナ給電部の動作状態を切状態に制御する手段を備えることを特徴とする。
【００１２】
本発明に係る放送受信システムは、前記表示装置は、前記衛星放送受信アンテナに対する給電の要否を示す給電要否信号を送出する送出手段を備え、前記記録装置は、前記給電要否信号を取得する取得手段を備え、前記記録装置の制御手段は、前記記録装置の電源が入状態であり、前記取得手段にて取得した給電要否信号が不要を示している場合、前記記録装置側アンテナ給電部の動作状態を切状態に制御する手段を備えることを特徴とする。
【００１３】
本発明に係る放送受信システムは、前記記録装置は、該衛星放送受信アンテナからの衛星放送信号が入力する入力部と、該入力部に入力した衛星放送信号を増幅する増幅器と、該増幅器にて増幅された衛星放送信号を分配する分配器と、該分配器にて分配された一の衛星放送信号を出力する出力部と、前記入力部及び前記増幅器の間に介装されており、前記衛星放送受信アンテナに給電されるべき電力を遮断し、衛星放送信号を通過させる第１フィルタと、前記分配器及び前記出力部の間に介装されており、前記衛星放送受信アンテナに給電されるべき電力を遮断し、衛星放送信号を通過させる第２フィルタと、前記入力部及び前記第１フィルタの間を開閉する第１スイッチと、前記出力部及び前記第２フィルタの間を開閉する第２スイッチと、前記入力部及び前記記録装置側アンテナ給電部の間を開閉する第３スイッチと、前記入力部及び前記出力部の間を開閉する第４スイッチと、前記記録装置側アンテナ給電部が入状態／切状態である場合、前記第１スイッチ、第２スイッチ及び第３スイッチが閉状態／開状態、前記第４スイッチが開状態／閉状態になるように各スイッチの開閉を制御する手段とを備えることを特徴とする。
【００１４】
本発明に係る記録装置は、衛星放送受信アンテナにて衛星放送信号を受信し、記録すると共に該衛星放送信号を外部装置に分配する記録装置において、前記衛星放送受信アンテナに給電するアンテナ給電部と、前記記録装置の電源が入状態／切状態である場合、前記アンテナ給電部の動作状態を入状態／切状態に制御する制御手段と、前記アンテナ給電部による給電の有無を示す給電状態信号を外部装置に送出する送出手段とを備えることを特徴とする。
【００１５】
本発明に係る記録装置は、前記衛星放送受信アンテナに対する給電の要否を示す給電要否信号を取得する取得手段を備え、前記制御手段は、前記記録装置の電源が入状態であり、前記取得手段にて取得した給電要否信号が不要を示している場合、前記アンテナ給電部の動作状態を切状態に制御する手段を備えることを特徴とする。
【００１６】
本発明に係る表示装置は、衛星放送受信アンテナにて衛星放送信号を受信し、該衛星放送信号に基づいて映像を表示する表示装置において、前記衛星放送受信アンテナに給電するアンテナ給電部と、前記衛星放送受信アンテナに対する外部装置による給電の有無を示す給電状態信号を取得する取得手段と、該取得手段にて取得した前記給電状態信号が給電有りを示している場合、前記アンテナ給電部の動作状態を切状態に、前記給電状態信号が給電無しを示している場合、前記アンテナ給電部の動作状態を入状態に制御する制御手段とを備えることを特徴とする。
【００１７】
本発明に係る表示装置は、前記制御手段は、前記給電状態信号が給電無しを示しており、衛星放送信号に基づいて映像を表示する場合、前記アンテナ給電部の動作状態を入状態に、前記給電状態信号が給電無しを示しており、衛星放送信号に基づいて映像を表示しない場合、前記アンテナ給電部の動作状態を切状態に制御する手段を備えることを特徴とする。
【００１８】
本発明にあっては、記録装置の制御手段は、該記録装置の電源が入状態である場合、記録装置側アンテナ給電部の動作状態を入状態にし、記録装置の電源が切状態である場合、記録装置側アンテナ給電部の動作も切状態にする。このため、記録装置側給電部は、記録装置が待機状態にある場合、衛星放送受信アンテナに対して給電を行わず、記録装置が起動している場合にのみ給電を行う。そして、記録装置の送出手段は、記録装置側アンテナ給電部による給電の有無を示す給電状態信号を送出する。
表示装置の取得手段は、送出手段にて送出された給電状態信号を取得する。そして、表示装置の制御手段は、給電状態信号が給電有りを示している場合、表示装置側アンテナ給電部を切状態にし、給電状態信号が給電無しを示している場合、表示装置側アンテナ給電部を入状態にする。
従って、記録装置は、電源が入状態にある場合にのみ給電を行うため、その動作状態に拘わらず衛星放送受信アンテナに給電する従来の記録装置に比して、電源回路部分の簡素化且つ低コスト化を図ることができる。
また、衛星放送受信アンテナに対する給電は、記録装置又は表示装置のいずれか一方の装置のみが行うことになり、放送受信システム、記録装置及び表示装置の消費電力を効果的に削減することができる。
なお、本発明におけるアンテナは衛星放送受信アンテナの上位概念、受信装置は、記録装置又は受信装置の上位概念、アンテナ給電部は、記録装置側アンテナ給電部又は記録装置側アンテナ給電部の上位概念である。また、本発明における複数の受信装置は、複数の記録装置のみ、複数の表示装置のみ、又は１若しくは複数の表示装置及び記録装置のいずれの組み合わせであっても良い。
【００１９】
本発明にあっては、表示装置の制御手段は、給電状態信号が給電無しを示している場合、つまり記録装置が衛星放送受信アンテナに給電していない場合であって、衛星放送の表示を要するとき、表示装置側アンテナ給電部を入状態にし、衛星放送の表示が不要であるとき、表示装置側アンテナ給電部を切状態にする。
従って、記録装置が待機状態にあり、表示装置で衛星放送を表示する必要がないような場合、記録装置及び表示装置のいずれも衛星放送受信アンテナに対する給電を行わないため、効果的に放送受信システム、記録装置及び表示装置の消費電力を削減することができる。
【００２０】
本発明にあっては、表示装置の送出手段は、前記衛星放送受信アンテナに対する給電の要否を示す給電要否信号を送出する。そして、記録装置の取得手段は給電要否信号を取得する。記録装置の制御部は、記録装置が起動している場合であっても、給電要否信号が不要を示しているとき、記録装置側アンテナ給電部を切状態にする。
従って、記録装置が起動状態にあり、表示装置で衛星放送を表示する必要が無い場合、記録装置及び表示装置のいずれも衛星放送受信アンテナに対する給電を行わないため、より効果的に放送受信システム、記録装置及び表示装置の消費電力を削減することができる。
【００２１】
本発明にあっては、記録装置側アンテナ給電部が切状態にある場合、入力部と出力部とが直結するため、表示装置から直接的に衛星放送受信アンテナに電力を供給することができる。また、衛星放送信号を直接的に受信することができる。
【発明の効果】
【００２２】
本発明によれば、一の受信装置、例えば記録装置が待機状態にある場合、記録装置から衛星放送受信アンテナに対する給電を停止し、他の受信装置、例えば表示装置のみが衛星放送受信アンテナに給電するように構成することにより、記録装置における電源回路の簡素化及び低コスト化、並びに消費電力の削減を図ることができる。
【発明を実施するための最良の形態】
【００２３】
以下、本発明をその実施の形態を示す図面に基づいて詳述する。
（実施の形態１）
図１及び図２は、本発明の実施の形態１に係る放送受信システムの構成を示すブロック図である。
本発明の実施の形態１に係る放送受信システムは、衛星放送受信アンテナ３にて衛星放送信号を受信及び記録すると共に該衛星放送信号を分配する記録装置１と、分配された衛星放送信号に基づいて映像を表示する表示装置２とを備えている。記録装置１は、例えばＢＳチューナを内蔵したＤＶＤレコーダであり、表示装置２はＢＳチューナを内蔵した液晶テレビである。本発明に係る記録装置１及び表示装置２は、互いにその動作状態を通知し、電源が入状態にある一方の装置のみが衛星放送受信アンテナ３に給電するように構成されている。より具体的には、記録装置１が起動している場合、記録装置１が衛星放送受信アンテナ３に給電を行い、記録装置１が待機状態にある場合、表示装置２が給電を行うことにより、記録装置１の電源回路部分の構成を簡単化し、放送受信システム全体の消費電力を抑えるように構成されている。
【００２４】
記録装置１は、記録装置１の各構成部の動作を制御する制御部１０、並びに各構成部に給電するための整流回路１１、電源変圧器１２、電源制御部１３、記録装置側アンテナ給電部１４及び主電源回路１５を備えている。
【００２５】
整流回路１１は、商用交流電源から供給された交流電力を全波整流するダイオードブリッジからなる全波整流回路を備え、前記交流電力を整流して電源変圧器１２に供給する。
【００２６】
電源変圧器１２は、一次コイル及び複数の二次コイル、並びにＦＥＴ（Field-Effect Transistor ）のようなスイッチング素子を備え、多出力スイッチング電源を構成している。電源変圧器１２にて変圧された交流電力は、図示しない平滑回路にて平滑化され、平滑化された直流の電力は制御部１０、電源制御部１３、記録装置側アンテナ給電部１４及び主電源回路１５に供給される。
【００２７】
電源制御部１３は、電源変圧器１２の出力電圧を帰還制御する回路であり、該出力電圧を検出する電圧検出手段と、該電圧検出手段が検出した電圧に基づいて、電源変圧器１２の出力電圧を所定の目標電圧に一致させるように電源変圧器１２のスイッチング素子をＰＷＭ制御するＰＷＭ制御手段とを備えている。
【００２８】
記録装置側アンテナ給電部１４は、衛星放送受信アンテナ３に必要な定格電圧１５Ｖを出力する三端子レギュレータを備え、定格電圧の電力を記録装置用衛星放送チューナ１６に供給する。なお、本発明に係る記録装置１は、起動時にのみ衛星放送受信アンテナ３に対して給電を行う構成であるため、待機時にも給電を行う従来の記録装置１に比して、回路構成を簡素化し、低コストで構成することができる。具体的には、出力電圧を安定化させるＤＣ−ＤＣコンバータ、ダミー負荷、又は衛星放送受信アンテナ３専用の電源回路等が不要となる。
【００２９】
記録装置用衛星放送チューナ１６は、記録装置側アンテナ給電部１４から供給された電力を衛星放送受信アンテナ３に供給し、衛星放送受信アンテナ３にて受信した衛星放送信号を信号処理回路１７に与える。また、記録装置用衛星放送チューナ１６は、外部の表示装置２から供給された衛星放送受信アンテナ３用の電力を通過させて、衛星放送受信アンテナ３に供給すると共に、受信した衛星放送信号を分配して表示装置２に与えるように構成されている。
【００３０】
信号処理回路１７は、衛星放送信号の復調、復号化、各種エフェクト処理を実行し、各種処理された映像信号及び音声信号を記録部１９に与える。また、信号処理回路１７は、通信部１８を介して記録装置１の動作状態に関する情報を表示装置２との間で送受信する機能を備えている。例えば、信号処理回路１７は、制御部１０の制御に応じて、衛星放送受信アンテナ３への給電の有無を示す給電状態情報を表示装置２に送信する処理を行う。また、信号処理回路１７は、表示装置２が衛星放送受信アンテナ３に対する給電を要しているか否かを示す給電要否情報を受信し、受信した給電要否情報を制御部１０に与える処理を行う。
【００３１】
記録部１９は、例えばＤＶＤドライブであり、信号処理回路１７から与えられた映像信号及び音声信号をＤＶＤに記録する光ピックアップ等を備えている。また、ＤＶＤドライブは、光ピックアップによってＤＶＤから読み出した映像信号及び音声信号を信号処理回路１７を介して通信部１８に与える。
【００３２】
通信部１８は、例えばＨＤＭＩ（登録商標）（High-Definition Multimedia Interface）であり、表示装置２に接続されたＨＤＭＩケーブルが接続されている。通信部１８は、映像信号、音声信号を一本のケーブルで送信できると共に、前記給電情報、給電要否情報、その他民生機器同士の制御信号の送受信を行うことができる。ＨＤＭＩは複数のチャンネルを有しており、映像信号及び音声信号はＴＭＤＳ（Transition Minimized Differential Signaling ）チャンネルを使用して送信される。また、映像の時間情報はＴＭＤＳのクロックチャンネルを使用して送信される。ＴＭＤＳチャンネルで送受信される映像信号はＲＧＢ信号、ＹＣｂＣｒ信号等である。
また、ＨＤＭＩのＣＥＣラインを介して前記給電情報、給電要否情報等の各種情報を送受信する。
【００３３】
表示装置２は、該表示装置２の各構成部の動作を制御する制御部２０、並びに各構成部に給電するための整流回路２１、電源変圧器２２、電源制御部２３、表示装置側アンテナ給電部２４及び主電源回路２５を備えている。整流回路２１、電源変圧器２２、電源制御部２３、表示装置側アンテナ給電部２４及び主電源回路２５の構成は、記録装置１の構成と同様であるため、詳細な説明を省略する。
【００３４】
また、表示装置２は、表示装置用衛星放送チューナ２６を備えている。表示装置用衛星放送チューナ２６は、表示装置側アンテナ給電部２４から供給された電力を、記録装置１を通じて衛星放送受信アンテナ３に供給し、記録装置１を介して受信した衛星放送信号を信号処理回路２７に与える。
【００３５】
信号処理回路２７は、衛星放送信号の復調、復号化、各種エフェクト処理を実行し、各種処理された映像信号及び音声信号を表示部２９に与える。また、信号処理回路２７は、制御部２０の制御に応じて、表示装置２が衛星放送受信アンテナ３に対する給電を要しているか否かを示す給電要否情報を通信部２８にて送信する処理を行う。また、信号処理回路２７は、記録装置１による衛星放送受信アンテナ３への給電の有無を示す給電状態情報を通信部２８にて受信し、受信した給電状態情報を制御部２０に与える処理を行う。
【００３６】
表示部２９は、前後方向に偏平な略直方体をなし、正面側に表示面を有する映像表示パネルと、映像表示パネルを後側から照明するバックライト部と、バックライト部及び映像表示パネル間に介装された光学シートとを備えている。映像表示パネルは、例えば透過型の液晶パネルである。バックライト部は、正面側が開放された略直方体の箱形をなすバックライトシャーシと、バックライトシャーシ内において上下に離隔して並設された複数本のランプとを有する。
ランプは、例えば、直管型の冷陰極蛍光管（CCFL：cold cathode fluorescent lamp）であり、長手方向が横方向になるように並設されている。冷陰極蛍光管の両端部の電極には図示しないインバータ回路基板が接続され、パルス幅変調によってランプの明るさが制御されるように構成されている。
光学シートは、拡散板、プリズムシート等のシートを積層してなり、バックライト部からの光を拡散及び均一化し、明るさムラのない光を映像表示パネルに照射する。
【００３７】
図３は、記録装置用衛星放送チューナ１６及び表示装置用衛星放送チューナ２６の構成を示す回路図である。
【００３８】
記録装置用衛星放送チューナ１６は、衛星放送受信アンテナ３からの衛星放送信号が入力する入力部１６ａと、入力部１６ａに入力した衛星放送信号を増幅する増幅器１６ｃと、増幅器１６ｃにて増幅された衛星放送信号を分配する分配器１６ｄと、分配器１６ｄにて分配された一の衛星放送信号を表示装置２に出力する出力部１６ｆとを備え、分配器１６ｄで分配された他の衛星放送信号を図示しない検波回路にて検波するように構成されている。また、記録装置用衛星放送チューナ１６は、入力部１６ａ及び出力部１６ｆを通じて衛星放送受信アンテナ３に必要な電力が入出力するように構成されており、入力部１６ａ及び増幅器１６ｃ間並びに分配器１６ｄ及び出力部１６ｆ間には、前記電力を遮断し、衛星放送信号を通過させる第１フィルタ１６ｂ及び第２フィルタ１６ｅが夫々介装されている。更に、記録装置用衛星放送チューナ１６は、記録装置側アンテナ給電部１４からの電力が入力する電力入力部１６ｈを備えており、電力入力部１６ｈから入力した電力又は表示装置２から出力部１６ｆを通じて入力した電力を、入力部１６ａを通じて衛星放送受信アンテナ３に供給する。更にまた、記録装置用衛星放送チューナ１６は、衛星放送受信アンテナ３に対する給電経路を切り替えるための第１乃至第４スイッチＳＷ１、ＳＷ２、ＳＷ３、ＳＷ４、反転素子１６ｉ、スイッチ切替信号入力部１６ｇを備えている。
【００３９】
以下、各素子の接続関係を具体的に説明する。入力部１６ａには、第１スイッチＳＷ１の入力側切替端が接続され、第１スイッチＳＷ１の増幅器側切替端には第１フィルタ１６ｂの一端が接続され、第１フィルタ１６ｂの他端には増幅回路の入力端子が接続され、増幅器１６ｃの出力端には分配器１６ｄの入力端子が接続されている。分配器１６ｄの一の出力端子には、第２フィルタ１６ｅの一端が接続され、第２フィルタ１６ｅの他端は第２スイッチＳＷ２の分配器側切替端に接続され、第２スイッチＳＷ２の出力部側切替端は、出力部１６ｆに接続されている。分配器１６ｄの他の出力端子には図示しない検波回路が接続されている。
また、入力部１６ａには、第３スイッチＳＷ３の一方の切替端が接続され、第３スイッチＳＷ３の他方の切替端には電力入力部１６ｈが接続されている。更に、入力部１６ａには第４スイッチＳＷ４の一方の切替端が接続され、第４スイッチＳＷ４の他方の切替端が出力部１６ｆに接続されている。スイッチ切替信号入力部１６ｇには、第１乃至第３スイッチＳＷ１、ＳＷ２、ＳＷ３が接続され、第４スイッチＳＷ４には反転素子１６ｉを介してスイッチ切替信号入力部１６ｇが接続されている。
【００４０】
表示装置用衛星放送チューナ２６は、衛星放送信号が入力する入力部２６ａと、入力部２６ａに入力した衛星放送信号を増幅する増幅器２６ｃとを備えている。また、表示装置用衛星放送チューナ２６は、表示装置側アンテナ給電部２４からの電力が入力する電力入力部２６ｈを備えており、入力部２６ａ及び増幅器２６ｃには、第３フィルタ２６ｂが介装されている。電力入力部２６ｈから入力した電力は入力部２６ａ及び記録装置１を通じて衛星放送受信アンテナ３に供給されるように構成されている。
【００４１】
以下、各素子の接続関係を具体的に説明する。入力部２６ａには、第３フィルタ２６ｂの一端が接続され、第３フィルタ２６ｂの他端に増幅器２６ｃの一端が接続されている。増幅器２６ｃは、衛星放送信号を増幅し、増幅された映像放送信号は図示しない検波回路にて検波される。
【００４２】
図４は、放送受信システムにおける給電制御に係る制御部１０、２０の処理手順を示すフローチャートである。
記録装置１の制御部１０は、待機状態にあるか否か、つまり記録装置１の電源が入状態又は切状態のいずれであるかを判定する（ステップＳ１１）。電源が入状態であると判定した場合（ステップＳ１１：ＹＥＳ）、制御部１０は、記録装置側アンテナ給電部１４の動作状態を入状態に切り替える（ステップＳ１２）。次いで、制御部１０は、スイッチ切替信号入力部１６ｇにローレベルの信号を入力させることによって、第１乃至第３スイッチＳＷ１、ＳＷ２、ＳＷ３が閉状態、第４スイッチＳＷ４が開状態になるように切り替え制御を行う（ステップＳ１３）。
【００４３】
図５は、スイッチ切替信号入力部１６ｇにローレベルの信号が入力した場合における記録装置用衛星放送チューナ１６及び表示装置用衛星放送チューナ２６の構成を示す回路図である。第１乃至第３スイッチＳＷ１、ＳＷ２、ＳＷ３が閉状態、第４スイッチＳＷ４が開状態である場合、記録装置側アンテナ給電部１４の電力が電力入力部１６ｈ、第３スイッチＳＷ３及び入力部１６ａを通じて衛星放送受信アンテナ３に供給される。また、衛星放送受信アンテナ３からの衛星放送信号は、入力部１６ａに入力して増幅器１６ｃで増幅され、分配器１６ｄで分配された後、表示装置２側に出力される。
【００４４】
電源が切状態であると判定した場合（ステップＳ１１：ＮＯ）、制御部１０は、記録装置側アンテナ給電部１４の動作状態を切状態に切り替える（ステップＳ１４）。そして、制御部１０は、スイッチ切替信号入力部１６ｇにハイレベルの信号を入力させることによって、図３に示すように第１乃至第３スイッチＳＷ１、ＳＷ２、ＳＷ３が開状態、第４スイッチＳＷ４が閉状態になるように切り替え制御を行う（ステップＳ１５）。
第１乃至第３スイッチＳＷ１、ＳＷ２、ＳＷ３が開状態、第４スイッチＳＷ４が閉状態である場合、入力部１６ａ及び出力部１６ｆが直結し、他の回路、例えば第１フィルタ１６ｂ、第２フィルタ１６ｅ、増幅器１６ｃ、分配器１６ｄ等は入力部１６ａ及び出力部１６ｆから切断される。
【００４５】
ステップＳ１３又はステップＳ１５の処理を終えた場合、制御部１０は、衛星放送受信アンテナ３に対する記録装置１による給電状態を示す給電情報を表示装置２に送信する（ステップＳ１６）。つまり、記録装置側アンテナ給電部１４が衛星放送受信アンテナ３に電力を供給しているか否かを示す情報を送信する。
【００４６】
表示装置２の制御部２０は、記録装置１側から送信された給電情報を受信し（ステップＳ１７）、受信した給電情報に基づいて記録装置１からの給電の有無、つまり記録装置１が衛星放送受信アンテナ３に電力を供給しているか否かを判定する（ステップＳ１８）。記録装置１からの給電が無いと判定した場合（ステップＳ１８：ＮＯ）、制御部２０は、選択されているチャンネルに基づいて衛星放送を表示するか否かを判定する（ステップＳ１９）。つまり、衛星放送チャンネルが選択されているか否かを判定する。衛星放送を表示すると判定した場合（ステップＳ１９：ＹＥＳ）、制御部２０は、表示装置側アンテナ給電部２４の動作状態を入状態に切り替え（ステップＳ２０）、処理を終える。ステップＳ１８で記録装置１からの給電有りと判定した場合（ステップＳ１８：ＹＥＳ）、又はステップＳ１９で衛星放送を表示しないと判定した場合（ステップＳ１９：ＮＯ）、制御部２０は、表示装置側アンテナ給電部２４の動作状態を切状態に制御し（ステップＳ２１）、処理を終える。
【００４７】
このように構成された実施の形態１に係る放送受信システム、記録装置１及び表示装置２にあっては、記録装置１又は表示装置２のいずれか一方の装置のみが、衛星放送受信アンテナ３に給電する構成であるため、放送受信システム、記録装置１及び表示装置２の消費電力を削減することができる。
【００４８】
また、記録装置１は待機時に衛星放送受信アンテナ３用の電力を作成する必要が無いため、従来の記録装置１が備えていた昇圧型ＤＣ−ＤＣコンバータ、ダミー負荷等は不要であり、電源回路の簡素化及び低コスト化を図ることができる。
【００４９】
更に、記録装置１が待機状態にあり、表示装置２で衛星放送を表示する必要がないような場合、記録装置１及び表示装置２のいずれも衛星放送受信アンテナ３に対する給電を行わない構成であるため、より効果的に放送受信システム、記録装置１及び表示装置２の消費電力を削減することができる。
【００５０】
更にまた、記録装置側アンテナ給電部１４が切状態にある場合、入力部１６ａと出力部１６ｆとが直結するため、記録装置１を経由するものの、表示装置２からほぼ直接的に衛星放送受信アンテナ３に電力を供給することができる。また、記録装置１側の回路から切断されるため、衛星放送信号を直接的に受信することができる。
【００５１】
なお、実施の形態１にあっては、衛星放送チューナを搭載した記録装置１及び表示装置２からなる放送受信システムを説明したが、複数の記録装置１のみ、若しくは複数の表示装置２のみからなる放送受信システム、又は３以上の記録装置１及び表示装置２からなる放送受信システムに本発明を適用しても良い。
【００５２】
また、実施の形態１に係る記録装置１及び表示装置２は、ＨＤＭＩケーブルにて互いの動作状態を通知するように構成してあるが、他の規格に準拠した有線通信、無線通信にて給電情報、給電要否情報を送受信するように構成しても良い。
【００５３】
更にまた、衛星放送受信アンテナ３に給電する記録装置１及び表示装置２を例示したが、放送信号の受信に電力が必要なアンテナであれば、ＣＳ放送受信アンテナ等、他のアンテナを使用するように構成しても良い。
【００５４】
（実施の形態２）
実施の形態２に係る衛星放送受信システムは、実施の形態１と同様の記録装置１及び表示装置２を備えている。制御部１０、２０の処理内容のみが異なるため、以下では主に上記相違点を説明する。
【００５５】
図６及び図７は、実施の形態２の給電制御に係る制御部１０、２０の処理手順を示すフローチャートである。表示装置２の制御部２０は、選択されているチャンネルに基づいて衛星放送受信アンテナ３に給電を要するか否かを判定する（ステップＳ３１）。つまり、制御部２０は、衛星放送チャンネルが選択され、衛星放送を表示するか否かを判定する。そして、制御部２０は、衛星放送受信アンテナ３に給電を要するか否かを示す給電要否情報を記録装置１に送信する（ステップＳ３２）。
【００５６】
記録装置１の制御部１０は、表示装置２から送信された給電要否情報を受信する（ステップＳ３３）。そして、制御部１０は、記録装置１の電源が入状態であるか否かを判定する（ステップＳ３４）。電源が入状態であると判定した場合（ステップＳ３４：ＹＥＳ）、制御部１０は、ステップＳ３３で受信した給電要否情報に基づいて、表示装置２が衛星放送受信アンテナ３に対する給電を要しているか否かを判定する（ステップＳ３５）。
【００５７】
給電を要していると判定した場合（ステップＳ３５：ＹＥＳ）、制御部１０は、記録装置側アンテナ給電部１４の動作状態を入状態に切り替える（ステップＳ３６）。次いで、制御部１０は、スイッチ切替信号入力部１６ｇにローレベルの信号を入力させることによって、第１乃至第３スイッチＳＷ１、ＳＷ２、ＳＷ３が閉状態、第４スイッチＳＷ４が開状態になるように切り替え制御を行う（ステップＳ３７）。
【００５８】
ステップＳ３４で記録装置１の電源が入状態で無いと判定した場合（ステップＳ３４：ＮＯ）、又はステップＳ３５で給電を要していないと判定した場合（ステップＳ３５：ＮＯ）、制御部１０は、記録装置側アンテナ給電部１４の動作状態を切状態に切り替える（ステップＳ３８）。そして、制御部１０は、図３に示すようにスイッチ切替信号入力部１６ｇにハイレベルの信号を入力させることによって、第１乃至第３スイッチＳＷ１、ＳＷ２、ＳＷ３が開状態、第４スイッチＳＷ４が閉状態になるように切り替え制御を行う（ステップＳ３９）。
【００５９】
ステップＳ３７又はステップＳ３９の処理を終えた場合、制御部１０は、記録装置１による衛星放送受信アンテナ３に対する給電状態を示す給電情報を表示装置２に送信する（ステップＳ４０）。
【００６０】
表示装置２の制御部２０は、記録装置１側から送信された給電情報を受信し（ステップＳ４１）、受信した給電情報に基づいて、衛星放送アンテナに対する記録装置１からの給電の有無を判定する（ステップＳ４２）。記録装置１からの給電が無いと判定した場合（ステップＳ４２：ＮＯ）、制御部２０は、選択されているチャンネルに基づいて衛星放送を表示するか否かを判定する（ステップＳ４３）。衛星放送を表示すると判定した場合（ステップＳ４３：ＹＥＳ）、制御部２０は、表示装置側アンテナ給電部２４の動作状態を入状態に切り替え（ステップＳ４４）、処理を終える。ステップＳ４２で記録装置１からの給電有りと判定した場合（ステップＳ４２：ＹＥＳ）、又はステップＳ４３で衛星放送を表示しないと判定した場合（ステップＳ４３：ＮＯ）、制御部２０は、表示装置側アンテナ給電部２４の動作状態を切状態に制御し（ステップＳ４５）、処理を終える。
【００６１】
実施の形態２に係る放送受信システム、記録装置１及び表示装置２にあっては、記録装置１が起動状態にあり、表示装置２で衛星放送を表示する必要が無い場合、記録装置１及び表示装置２のいずれも衛星放送受信アンテナ３に対する給電を停止するため、より効果的に放送受信システム、記録装置１及び表示装置２の消費電力を削減することができる。
【図面の簡単な説明】
【００６２】
【図１】本発明の実施の形態１に係る放送受信システムの構成を示すブロック図である。
【図２】本発明の実施の形態１に係る放送受信システムの構成を示すブロック図である。
【図３】記録装置用衛星放送チューナ及び表示装置用衛星放送チューナの構成を示す回路図である。
【図４】放送受信システムにおける給電制御に係る制御部の処理手順を示すフローチャートである。
【図５】スイッチ切替信号入力部にローレベルの信号が入力した場合における記録装置用衛星放送チューナ及び表示装置用衛星放送チューナの構成を示す回路図である。
【図６】実施の形態２の給電制御に係る制御部の処理手順を示すフローチャートである。
【図７】実施の形態２の給電制御に係る制御部の処理手順を示すフローチャートである。
【図８】従来の記録装置の構成を示すブロック図である。
【符号の説明】
【００６３】
１  記録装置
２  表示装置
３  衛星放送受信アンテナ
１０  制御部（制御手段）
１１  整流回路
１２  電源変圧器
１３  電源制御部
１４  記録装置側アンテナ給電部
１５  主電源回路
１６  記録装置用衛星放送チューナ
１６ａ  入力部
１６ｂ  第１フィルタ
１６ｃ  増幅器
１６ｄ  分配器
１６ｅ  第２フィルタ
１６ｆ  出力部
１７  信号処理回路
１８  通信部（送出手段、取得手段）
１９  記録部
２０  制御部（制御手段）
２１  整流回路
２２  電源変圧器
２３  電源制御部
２４  表示装置側アンテナ給電部
２５  主電源回路
２６  表示装置用衛星放送チューナ
２６ａ  入力部
２６ｂ  第３フィルタ
２６ｃ  増幅器
２７  信号処理回路
２８  通信部（送出手段、取得手段）
２９  表示部
ＳＷ１  第１スイッチ
ＳＷ２  第２スイッチ
ＳＷ３  第３スイッチ
ＳＷ４  第４スイッチ
【図１】
2009124236.tif 000003
【図２】
2009124236.tif 000004
【図３】
2009124236.tif 000005
【図４】
2009124236.tif 000006
【図５】
2009124236.tif 000007
【図６】
2009124236.tif 000008
【図７】
2009124236.tif 000009
【図８】
2009124236.tif 000010